(57)【特許請求の範囲】
【請求項１】
摘出された病理検体をボード体の表面にピン材を用いて止着し、管理する病理検体の管理方法において、前記したピン材はプラスチック製のものとし、そのプラスチック製のピン材を、病理検体に突き刺すスリットを有する中空ニードルを備えた装着器具を用い、前記中空ニードルを通して、病理検体に対してその先端を刺し込みボード体に固定し、前記したボード体はゴム製のものとしたことを特徴とする病理検体の管理方法。
【請求項２】
前記したピン材はＰＥＥＫによって成形されていることを特徴とする請求項１に記載の病理検体の管理方法。
【請求項３】
前記したピン材の先端に設けられた係止バーは、そのピン材の長手方向軸線と交差する一方向のみを長寸とし、他方を短寸として形成され、略Ｌ字状となっていることを特徴とする請求項１または２に記載の病理検体の管理方法。
【請求項４】
前記したピン材は初期的にランナーバーに等ピッチで複数並設されたアッセンブリとされていることを特徴とする請求項１から３のうち１項に記載の病理検体の管理方法。
【請求項５】
前記した中空ニードルは着脱交換自在な使い捨てとしてあることを特徴とする請求項１に記載の病理検体の管理方法。
【請求項６】
前記した装着用具には、不使用時に、中空ニードルの先端をカバーし、使用時に可動して中空ニードルの先端を露呈させるスライド式のニードルガードを一体的に備えていることを特徴とする請求項１または５に記載の病理検体の管理方法。
【請求項７】
前記したボード体にはホルマリン等の固定液が馴染み易い溝が刻設されていることを特徴とする請求項１に記載の病理検体の管理方法。
【請求項８】
前記したボード体には検体の観察を容易とし、サイズ確認のための目盛りが施されていることを特徴とする請求項１または７に記載の病理検体の管理方法。
【発明の詳細な説明】
【技術分野】
【０００１】
本願発明は病理検体の管理方法、特に摘出された癌患部を保存、管理して、後日に転移状況等を監視、あるいは標本とするための病理検体の管理方法に関する。
【背景技術】
【０００２】
従来、この病理検体の管理方法として、切除摘出された患部（検体）を複数の虫ピンを用いて、木板、コルク板、ゴム板、場合によっては段ボール板の表面に止着する方法が行なわれている。この検体は必要に応じて写真撮影され記録される。
【０００３】
こうして、虫ピンでボード体に止着された検体は通常１０％ホルマリン液等によって組織固定される。このホルマリン固定に際しては、凍結を伴なうこともある。これは、組織の腐敗を防ぐことと、一定の硬度を与えて、その後の切り出しを容易とするためである。
【０００４】
また、病理診断のためには肉眼的観察が重要となり、顕微鏡で観察できる大きさにカットする、これを切り出しという。顕微鏡で観察するためには光を透過できる程の、厚さを薄くしなければならず、そのためパラフィンによる組織処理がなされる。アルコール、有機溶剤を用いて組織にパラフィンを浸透させ、細部までパラフィンを浸透させた組織片をパラフィンに固める作業がなされる（パラフィン包理）。
【０００５】
次いで、ミクロトームを用いて、通例３μｍの切片を作製する（薄切）、その後にヘマトキシリン・エオジン染色を行なう。細胞の核はヘマトキシリンで紫色、細胞質や結合組織はエオジンで赤桃色に染色される。
【０００６】
しかしながら、この従来の作業、特に検体をボード体に複数の虫ピンで止着固定させる作業及びその虫ピンを抜く作業は、作業者によって非常に大きな負担となり、効率も悪いものとなっている。さらには、虫ピンによる針刺し事故やそれに伴う二次感染の虞もあるものとなっている。
【先行技術文献】
【特許文献】
【０００７】
【特許文献１】特願２０１４−４２３１９号出願書類
【特許文献２】特願２０１４−１０１９３７号出願書類
【発明の概要】
【発明が解決しようとする課題】
【０００８】
本発明が解決しようとする問題点は、従来、病理検体の管理方法の一環として、病理検体をボード体の表面に虫ピンを用いて止着する作業は、作業者にとって非常に大きな負担となり、また、効力もすこぶる悪いものであり、また、虫ピンを手指先で摘み持って作業をするため、針刺し事故を生じてしまうことまたその結果として二次感染の虞もあったという点である。
【課題を解決するための手段】
【０００９】
上記した問題点を解決するために、本発明に係る病理検体の管理方法は、摘出された病理検体をボード体の表面にピン材を用いて止着し、管理する病理検体の管理方法において、前記したピン材はプラスチック製のものとし、そのプラスチック製のピン材を、病理検体に突き刺すスリットを有する中空ニードルを備えた装着器具を用い、前記中空ニードルを通して、病理検体に対してその先端を刺し込みボード体に固定し、前記したボード体はゴム製のものとしたことを特徴としている。
【００１０】
また、本発明に係る病理検体の管理方法は、前記したピン材はＰＥＥＫによって成形されていることを特徴とし、前記したピン材の先端に設けられた係止バーは、そのピン材の長手方向軸線と交差する一方向のみを長寸とし、他方を短寸として形成され、略Ｌ字状となっていることを特徴とし、前記したピン材は初期的にランナーバーに等ピッチで複数並設されたアッセンブリとされていることを特徴としている。
【００１１】
さらに、本発明に係る病理検体の管理方法は、前記した中空ニードルは着脱交換自在な使い捨てとしてあることを特徴とし、前記した装着用具には、不使用時に、中空ニードルの先端をカバーし、使用時に可動して中空ニードルの先端を露呈させるスライド式のニードルガードを一体的に備えていることを特徴としている。
【００１２】
そして、本発明に係る病理検体の管理方法は、前記したボード体にはホルマリン等の固定液が馴染み易い溝が刻設されていることを特徴とし、前記したボード体には検体の観察を容易とし、サイズ確認のための目盛りが施されていることを特徴としている。
【発明の効果】
【００１３】
本発明に係る病理検体の管理方法は、上記のように構成されている。そのため、作業者は中空ニードルに手を触れることなく、ピン材の挿し込み（打ち込み）が可能となり、針刺し事故や、二次感染の虞が大きく低減する。また、ピン材はアッセンブリとなっており、自動的に連続供給ができ、作業能率が大きく向上し、作業負担が少なくなる。ピン材には鋭利な部分はなく、使用後の処理も安全なものとなる。
【００１４】
また、ボード体として特殊構造のゴム板を用いているため、ピン材の挿し込み、引き抜きの作業が簡易となる。この作業の簡易性はピン材の先端の特殊構造も寄与している。加えて、中空ニードルは着脱交換自在の使い捨てとできるため、より一層の安全性が確保されている。
【図面の簡単な説明】
【００１５】
【図１】検体をゴム板に止着する作業を示す斜視図である。
【図２】装着器具を示す側面図である。
【図３】ニードルカバーを作用させている斜視図である。
【図４】ニードルカバーをずらした状態の斜視図である。
【図５】中空ニードルが装着された状態の斜視図である。
【図６】中空ニードルを引き抜き外した状態の斜視図である。
【図７】ピン材のアッセンブリを示す図である。
【図８】ピン材の使用前の状態を示す図である。
【図９】使用後にゴム板より引き抜いた状態を示す図である。
【図１０】ゴム板の平面図である。
【図１１】縦断面図である。
【図１２】ピン材の挿し込み作業に先立つ、中空ニードルの突き刺し状態を示す拡大図である。
【発明を実施するための形態】
【００１６】
図面として示し、実施例で説明したように構成したことで実現した。
【実施例１】
【００１７】
次に、本発明の好ましい実施の一例を図面を参照して説明する。図中Ｓは手術によって摘出された患部である病理検体を示している。この病理検体Ｓは粘膜を上方にして、周縁を押し広げ基板となるゴム板１の表面に載せられ、ＰＥＥＫ製のピン材２によって、その周縁を止着固定される。
【００１８】
前記したピン材２は装着器具３を用いて挿し込まれる。ピン材２は、複数本が等ピッチでランナーバー４に並設されたアッセンブリＡとなっており、このアッセンブリＡの状態で装着器具３に装填される。この装着器具３の構造は基本的に、タグを吊持するためのタグピンを装着するツールと同様となっており、グリップとそのグリップの前面にトリガーを有しており、トリガーを操作することで、ピストン部材が、先端に設けられた中空ニードル５内にランナーバー４からカッターで切離されたピン材２を押し送り、強制的に挿し込まれるトリガーの操作によって送り機構が作用して、アッセンブリＡに並設されているピン材２を順次、中空ニードル５内へ誘導していく。尚、このピン材２の検体Ｓ及びゴム板１への挿し込みは、まず中空ニードル５を突き刺し、位置を特定してからトリガーを操作することで行なわれる。
【００１９】
この装着器具３は図２〜図６として示すように、先端部分に形成された受穴６に中空ニードル５の基端が嵌着され、ロック機構によって保持固定される。このロック機構を解除することで中空ニードル５は容易に引き抜くことができ、その使用済の中空ニードル５の廃棄や新規なものとの交換が行える。
【００２０】
また、前記した受穴には、アッセンブリＡのランナーバー４をガイドしてピン材２を一本づつ中空ニードル５の基端開口へ位置させるガイド溝７が連通し、略上方から直角状態に形成されている。
【００２１】
中空ニードル５には長手方向に沿って側面に基端から先端まで至るスリット８が形成されており、トリガーの操作で作動するピストン部材により、ピン材２の先端に設けられた係止バー９の後端を押して中空ニードル５内を押し進め、中空ニードル５が突き刺された検体Ｓを通過してゴム板１の内部まで挿し込まれる。この中空ニードル５を通過する際にピン材２の本体部分はスリット８を通過していくこととなる。
【００２２】
また、前記した装着器具３の一方側側面（本実施例では右側）にはプラスチック製のニードルガード１０が取り付けられている。このニードルガード１０は先端側に弧状に曲成したカバー部１１が形成されており、スライドガイド溝１２部分をビス１３によって装着器具３のケーシング外面に止着してある。このニードルガード１０は、このビス１３に沿って指先で容易に前後にスライドさせることができ、不使用時には中空ニードル５の先端をカバー部１１で覆い隠し、事故を防止できるものとしている。
【００２３】
さらに、前記したピン材２はランナーバー４等も含めたアッセンブリＡ全体をＰＥＥＫによって成形しており、抜け止め用の係止バー９は通例のアパレル向けと異なり、ピン材２の先端でその長手方向と略直角に交差する一方のみを長寸とし、他方を短寸とし、略Ｌ字状の形態としている。このため、ピン材２の挿し込み、引き抜きの負荷が軽減されている。この係止バー９はランナーバー４に対して連結桿９ａ、９ａ‥で連結されており、中空ニードル５内に押し送りされる際に、その連結桿９ａがカッターで切断される。そして、その先端形状は作業者を傷付けないように滑らかとなっており、その材料特性から耐アルコール、耐ホルマリンに優れたものとなっている。尚、この係止バー９は長寸部分が、後述するゴム板１の内部において、ピン材２の長手方向に沿って留まり、位置決め止着を行なう。
【００２４】
このピン材２の上端は指先で摘んで引き抜くための引き抜き摘み部１４が幅広に一体形成されており、アッセンブリＡの状態では、この摘み部１４、１４‥の一部がスポット溶着され、バラ付きを抑えられている。
【００２５】
一方、前記したゴム板１は本実施例にあって矩形としてあるが、この形状には特にこだわるものではない。このゴム板１はその上面部１ａと下面部１ｂを硬度の高い素材とし、その上面部１ａと下面部１ｂに挟持される中間部（内部）１ｃを、その上面部１ａ、下面部１ｂよりも軟性のものを使用している。尚、このゴム板１の側面部は開放されて、断面的に中間部１ｃが露呈していても、その側面部も硬度の高い、上面部１ａ、下面部１ｂと同質の素材で被覆した構成でもよい。また、このゴム板１は図として示し、前記した構成としたもののほかにも、全体的、少なくとも内部的に発泡処理を施して弾性を付けた比較的硬いスキン層を持つ独立気泡を有するスポンジの一層物でもよく、また、その表面に予熱したプラスチックフィルムを被せ、減圧脱気したスキンパックの構成とすることもできる。
【００２６】
ゴム板１を上記したことによって、ピン材２の挿し込み、位置決め固定、及び引き抜き作業がより一層行ない易くなり、作業者の負担がさらに軽減されることとなる。
【００２７】
また、このゴム板１の検体Ｓが止着される上面部１ａの表面には、前記したホルマリン液等の固化剤が馴染み易いように溝１５が升目状に刻設形成されている。さらに、この溝１５を升目状に形成したことを利用して、その升目を特定の数値幅、例えば１ｃｍとし、その溝１５の外側に目盛り１６を配し、載置止着された検体Ｓのサイズを目視確認できるようにしてある。
【００２８】
本発明に係る病理検体の管理方法は上記のように構成されている。この検体Ｓのゴム板１へのピン材２、２‥による止着固定から、ピン材２、２‥の引き抜き作業までが、検体の摘出や、ゴム板１への止着固定から引き抜きの過程以後の作業等と分業となっている場合でも、検体Ｓに対してピン材２、２‥を使用する作業は大きく負担が減り、摘出から、その後の一連の処理を担当者が全て行なう場合には、一層その負担は軽減されることとなる。
【産業上の利用可能性】
【００２９】
本実施例に係る病理検体の管理方法は上述したように構成されている。ここで、アッセンブリＡを含めてピン材２には、必要や目的に応じて適宜彩色や模様を施すこともできる。この彩色や模様の施しはゴム板１にも勿論可能であり、病理検体Ｓの患部の種類やサイズによって区別して管理することも可能となる。
【符号の説明】
【００３０】
１    ゴム板
１ａ  上面部
１ｂ  下面部
１ｃ  中間部
２    ピン材
３    装着器具
４    ランナーバー
５    中空ニードル
６    受穴
７    ガイド溝
８    スリット
９    係止バー
９ａ  連結桿
１０  ニードルガード
１１  カバー部
１２  スライドガイド溝
１３  ビス
１４  摘み部
Ａ    アッセンブリ
Ｓ    検体
【図１】
0006383619.tif 000002
【図２】
0006383619.tif 000003
【図３】
0006383619.tif 000004
【図４】
0006383619.tif 000005
【図５】
0006383619.tif 000006
【図６】
0006383619.tif 000007
【図７】
0006383619.tif 000008
【図８】
0006383619.tif 000009
【図９】
0006383619.tif 000010
【図１０】
0006383619.tif 000011
【図１１】
0006383619.tif 000012
【図１２】
0006383619.tif 000013